(57)【要約】      （修正有）【課題】乗降のし易い薬液散布車両にする。【解決手段】走行車両に薬液を収容する薬液タンク（８）と、薬液を散布するブーム（１５ａ,１５ｂ）を設けた薬液散布車両において、ブームは走行車両の左右方向に亘って伸びる散布姿勢と、走行車両の左右両側に前後方向に伸びてブーム受け（２５ａ，２５ｂ，２６ａ，２６ｂ）で受ける収納姿勢とに変更可能に構成し、ブーム受け（２５ａ，２５ｂ，２６ａ，２６ｂ）は走行車両の左右外側に突出して設けると共に、前側に設ける前側ブーム受け（２５ａ，２５ｂ）と後側に設ける後側ブーム受け（２６ａ，２６ｂ）を設ける構成とし、前側ブーム受け（２５ａ，２５ｂ）より後側ブーム受け（２６ａ，２６ｂ）を高位置に配置し、前側ブーム受け（２５ａ，２５ｂ）より後側ブーム受け（２６ａ，２６ｂ）を左右外側に設ける。【選択図】図５
2014213294.tif 000002
【特許請求の範囲】
【請求項１】
走行車両（３）に薬液を収容する薬液タンク（８）と、薬液を散布するブーム（１５）を設けた薬液散布車両において、ブーム（１５）は走行車両（３）の左右方向に亘って伸びる散布姿勢と、走行車両（３）の左右両側に前後方向に伸びてブーム受け（２５ａ，２５ｂ，２６ａ，２６ｂ）で受ける収納姿勢とに変更可能に構成し、ブーム受け（２５ａ，２５ｂ，２６ａ，２６ｂ）は走行車両（３）の左右外側に突出して設けると共に、前側に設ける前側ブーム受け（２５ａ，２５ｂ）と後側に設ける後側ブーム受け（２６ａ，２６ｂ）を設ける構成とし、前側ブーム受け（２５ａ，２５ｂ）より後側ブーム受け（２６ａ，２６ｂ）を高位置に配置し、前側ブーム受け（２５ａ，２５ｂ）より後側ブーム受け（２６ａ，２６ｂ）を左右外側に設けることを特徴とする薬液散布車両。
【請求項２】
走行車両（３）の左右一側に収納姿勢のブーム（１５）を昇降動作させる乗降用スイッチ（２１）を設け、該乗降用スイッチ（２１）を設けた側の前側ブーム受け（２５ａ）のブーム当接部（３２ａ）と後側ブーム受け部（２６ｂ）のブーム当接部（３１ａ）との左右距離（Ｌ２）を、乗降用スイッチ（２１）を設けない側の前側ブーム受け（２５ｂ）のブーム当接部（３２ｂ）と後側ブーム受け（２６ｂ）のブーム当接部（３１ｂ）との左右距離（Ｌ１）より大きく構成することを特徴とする請求項１記載の薬液散布車両。
【発明の詳細な説明】
【技術分野】
【０００１】
本発明は、ブームで薬液を圃場に散布する薬液散布車両に関する。
【背景技術】
【０００２】
特許文献１には、ブームを搭載する薬液散布車両において、ブームが収納姿勢の場合には、運転座席側方にあって前後方向に後上がり傾斜となり、オペレータの乗降に邪魔になるため、運転座席に乗降し易いようにステップの向きを後斜めに向けている。
【先行技術文献】
【特許文献】
【０００３】
【特許文献１】特許第３９９７１７５号公報
【発明の概要】
【発明が解決しようとする課題】
【０００４】
本発明は、収納姿勢時のブームの配置を工夫することで、ブームの収納姿勢を安定させながら、オペレータの乗降スペースを広くすることを課題とする。
【課題を解決するための手段】
【０００５】
本発明は、かかる技術的課題を解決するために次のような技術的手段を講じる。
請求項１記載の発明は、走行車両（３）に薬液を収容する薬液タンク（８）と、薬液を散布するブーム（１５）を設けた薬液散布車両において、ブーム（１５）は走行車両（３）の左右方向に亘って伸びる散布姿勢と、走行車両（３）の左右両側に前後方向に伸びてブーム受け（２５ａ，２５ｂ，２６ａ，２６ｂ）で受ける収納姿勢とに変更可能に構成し、ブーム受け（２５ａ，２５ｂ，２６ａ，２６ｂ）は走行車両（３）の左右外側に突出して設けると共に、前側に設ける前側ブーム受け（２５ａ，２５ｂ）と後側に設ける後側ブーム受け（２６ａ，２６ｂ）を設ける構成とし、前側ブーム受け（２５ａ，２５ｂ）より後側ブーム受け（２６ａ，２６ｂ）を高位置に配置し、前側ブーム受け（２５ａ，２５ｂ）より後側ブーム受け（２６ａ，２６ｂ）を左右外側に設けることを特徴とする薬液散布車両とする。
【０００６】
請求項２記載の発明は、請求項１記載の発明において、走行車両（３）の左右一側に収納姿勢のブーム（１５）を昇降動作させる乗降用スイッチ（２１）を設け、該乗降用スイッチ（２１）を設けた側の前側ブーム受け（２５ａ）のブーム当接部（３２ａ）と後側ブーム受け部（２６ｂ）のブーム当接部（３１ａ）との左右距離（Ｌ２）を、乗降用スイッチ（２１）を設けない側の前側ブーム受け（２５ｂ）のブーム当接部（３２ｂ）と後側ブーム受け（２６ｂ）のブーム当接部（３１ｂ）との左右距離（Ｌ１）より大きく構成することを特徴とする。
【発明の効果】
【０００７】
本発明により、運転座席側方の乗降スペースを広げることができ、オペレータの乗降が容易になる。
また、乗降用スイッチがある側の乗降スペースを大きくすることで、オペレータの乗降が容易になる。
【図面の簡単な説明】
【０００８】
【図１】薬液散布車両の正面図
【図２】薬液散布車両の側面図
【図３】薬液散布車両の背面図
【図４】薬液散布車両の平面図
【図５】正面図の要部拡大図
【図６】薬液散布車両の薬液散布状態を示す図
【発明を実施するための形態】
【０００９】
本発明の実施の形態の薬液散布車両について、以下説明する。本実施の形態では車両の進行方向側を前側と呼び、進行方向と交差する方向を左右方向と呼ぶ。
前輪１と後輪２を備える走行車体３の前部にエンジン４を内装するボンネット５を備える。ボンネット５の後方にステアリングハンドル６を備え、ステアリングハンドル６の後方に運転座席７を設ける。運転座席７の後方及び左右側方に跨って薬液を収容する樹脂製の薬液タンク８を搭載する。ステアリングハンドル６の下方には運転座席７に着座するオペレータが足を置くフロワ９を設け、フロワ９の左右一側端部（左側）には乗降用のステップ１０を垂下して設けている。
【００１０】
運転座席７の右側には薬液タンク８内の薬液の散布を操作する薬液コック１１等を備える操作盤１２を設けている。操作盤１２の内部には薬液散布車両のコントローラ１３を内蔵している。運転座席７の下方には図示はしないが、薬液タンク８内の薬液を吸引して供給する防除ポンプ１４を設けている。
【００１１】
薬液タンク８内の薬液を散布するブーム１５を設ける。ブーム１５は、薬液散布時に走行車両の左右両外側に延びる姿勢となると共に、収納時には走行車両の左右両側にあって前後方向に後上がり傾斜に延びる姿勢となる左ブーム１５ａ及び右ブーム１５ｂを備える。また、ブーム１５は、ボンネット５の前方に位置するセンタブーム１５ｃを設ける。
【００１２】
左ブーム１５ａ、右ブーム１５ｂ、センタブーム１５ｃは、それぞれに薬液を噴霧するノズル１８を多数設けると共に、ボンネット５の前側に備える昇降シリンダ１６及び昇降シリンダ１６の伸縮操作で上下動作する平行四辺形の昇降リンク１７側に連結する。そして、昇降リンク１７と共に上下動作することで上下高さ位置、すなわち散布高さ位置を調節できる構成である。
【００１３】
左ブーム１５ａと右ブーム１５ｂはワイヤ１９を介してブーム位置切換レバー２０と連結し、ブーム位置切換レバー２０の操作で散布姿勢と収納姿勢とを切り換える構成である。ブーム位置切換レバー２０は操作盤１２の前方に設けている。操作盤１２及びブーム位置切換レバー２０の左右反対側、すなわち、走行車両のボンネット５の左側方には左ブーム１５ａを昇降させる乗降用スイッチ２１を設ける。オペレータは走行車両３の外側から運転座席７に乗り込むときに乗降用スイッチ２１を上昇側に操作すると、左ブーム１５ａが上昇し（図２仮想線）、ステップ１０周辺の乗降スペースが広がる。ブーム１５を収納姿勢にしてエンジン４を停止し、運転座席７に着座するオペレータが降りるときは乗降用スイッチ２１を下降側に操作することにより左ブーム１５ａが上昇し、ステップ１０周辺の乗降スペースが広がる。乗降用スイッチ２１は走行車両３のエンジン４が停止しているときに通電して操作可能とし、エンジン４を駆動させると操作を規制する構成としている。
【００１４】
収納姿勢時の左ブーム１５ａ及び右ブーム１５ｂを受けるブーム受けは前側ブーム受け２５ａ，２５ｂと後側ブーム受け２６ａ，２６ｂを左右一対備える。ブーム受けは左右方向に延びる前側アーム部２７ａ，２７ｂと後側アーム部２８ａ，２８ｂにはそれぞれとアーム部の外端部に設ける鉤型の受け部（前側の受け部２９ａ，２９ｂ及び後側の受部３０ａ，３０ｂ）を形成し、前側ブーム受け２５ａの前側アーム部２７ａ，２７ｂは昇降リンク１７の基部１７ａ、すなわち固定側に取り付け、後側ブーム受け２６ａ，２６ｂの後側アーム部２８ａ，２８ｂは薬液タンク８の背面に取り付ける。これにより、アーム部の長さを比較的短くすることが可能となる。また、薬液タンク８を走行車両３と着脱するときに、後側アーム部２８ａ，２８ｂを装着状態で着脱することができる。
【００１５】
図５の正面図に示すように、前側ブーム受け２５ａ，２５ｂのブーム当接部３２ａ，３２ｂより後側のブーム受けのブーム当接部３１ａ，３１ｂが左右外側になるように形成している。そして、乗降用スイッチ２１を設ける左ブーム１５ａ側の前側ブーム受け２７ａのブーム当接部３２ａと後側ブーム受け２６ａのブーム当接部３１ａとの左右幅距離Ｌ２を、右ブーム１５ｂ側の前側ブーム受け２７ｂのブーム当接部３２ｂと後側ブーム受け２６ｂのブーム当接部３１ｂとの左右幅距離Ｌ１よりも広く形成することで、左側の乗降スペースを広く形成することができる。
【００１６】
右ブーム１５ｂ側は運転座席７の右側から前方に突出する操作盤１２とブーム位置切換レバー２０を設けているため、乗降スペースが小さので、オペレータは乗降用スイッチ２１及びステップ１０を設ける左側から乗降する。本実施の形態により、乗降用スイッチ２１を設ける側の乗降スペースを広く形成することで、ブーム１５が収納姿勢時にオペレータの乗降を容易にすることができる。
【００１７】
また、薬液タンク８の側壁には手すり３３を取り付けている。手すり３３の取り付け位置はステップ１０よりやや後方の薬液タンク８の側壁に設けている。これにより、オペレータは手すり３３を把持してステップ１０を登って運転座席７に着座することや、手すり３３を把持してステップ１０を降りることができる。これにより、オペレータの乗降を容易にすることができる。
【００１８】
図１〜図４と、図５の相違点について説明する。
図１〜図４に示す後側アーム部２８ａ，２８ｂは薬液タンクから後側ブーム受け２６ａ，２６ｂに向けて左右斜め上方に向けて延びる構成とするのに対し、図１の後側アーム部２７Ａ，２７ｂは略横方向に延びる構成を示しているが、いずれの構成においても前述の左右幅距離Ｌ１及びＬ２の関係は成立する。
【００１９】
また、図６の散布状態を示す図においては、後側アーム２８ａ，２８ｂ及び後側ブーム受け２６ａ,２６ｂは図示を省略している。
また、手すり３３については、図２と図４と図５に示す。
【符号の説明】
【００２０】
３  走行車両
８  薬液タンク
１５  ブーム
２１  乗降用スイッチ
２５ａ  左前ブーム受け
２５ｂ  右前ブーム受け
２６ａ  左後ブーム受け
２６ｂ  右後ブーム受け
３１ａ  左側の後側ブーム受部のブーム当接部
３２ａ  左側の前側ブーム受部のブーム当接部
３１ｂ  右側の後側ブーム受部のブーム当接部
３２ｂ  右側の前側ブーム受部のブーム当接部
【図１】
2014213294.tif 000003
【図２】
2014213294.tif 000004
【図３】
2014213294.tif 000005
【図４】
2014213294.tif 000006
【図５】
2014213294.tif 000007
【図６】
2014213294.tif 000008